(57)【要約】【課題】片面段ボールのシートを簡単かつ確実に接合して、巻物等を形成する。【解決手段】  ライナ３の片面に波状の中しん４を貼り合わせた片面段ボールのシート１に、主板部５と副板部６とを段目に交差する方向の折目線７を介して設けると共に、主板部５の端部に継代片８を設け、接合する一方のシート１を基準とし、他方のシート１の継代片８を折り返し、この継代片８に一方のシート１の端部を重ねて、これらの中しん４の段を噛み合わせ、他方のシート１の主板部５から副板部６を折り曲げて、その主板部５と副板部６との間に、継代片８と一方のシート１の端部との重合部分を抱き込み、シート１の端部同士を繋ぐ。この接合体を巻き込んで、シート１の多重に重なり合う部分を留め具２の鉤部１１で外側から抱き込み、鉤部１１の反発を内側のシート１で抑制し、重なり合うシート１と鉤部１１の中しん４の段が噛み合うようにして、巻物を形成する。【選択図】図５
2009234658.tif 000002
【特許請求の範囲】
【請求項１】
ライナ(3)の片面に波状の中しん(4)を貼り合わせた片面段ボールのシート(1)に、主板部(5)と副板部(6)とを段目に交差する方向の折目線(7)を介して設けると共に、主板部(5)の端部に継代片(8)を設け、接合する一方のシート(1)を基準とし、他方のシート(1)の継代片(8)を折り返し、この継代片(8)に一方のシート(1)の端部を重ねて、これらの中しん(4)の段を噛み合わせ、他方のシート(1)の主板部(5)から副板部(6)を折り曲げて、その主板部(5)と副板部(6)との間に、継代片(8)と一方のシート(1)の端部との重合部分を抱き込むことにより、シート(1)の端部同士を繋いだ片面段ボールシートの接合体。
【請求項２】
請求項１に記載の片面段ボールシートの接合体を巻き込んで、シート(1)の多重に重なり合う部分を、シート(1)と別体又は一体となった片面段ボールの鉤部(11)で外側から抱き込み、鉤部(11)の反発を内側のシート(1)で抑制し、重なり合うシート(1)と鉤部(11)の中しん(4)の段を噛み合わせた片面段ボールシートの巻物。
【発明の詳細な説明】
【技術分野】
【０００１】
この発明は、片面段ボールのシートを接合した接合体及びその接合体を巻いた小物ホルダや容器等の巻物に関するものである。
【背景技術】
【０００２】
従来、下記特許文献１には、ライナの片面に波状の中しんを貼り合わせた片面段ボールのシートから成る容器が記載されている。
【０００３】
この容器は、片面段ボールの帯状シートを段目方向（中しんの段の頂部が延びる方向）に交差する折目線に沿って折り返した状態で、環状に巻いて、その両端を突き合わせ、ライナ面で接着テープにより接合し、環状シートの内側に円板を嵌めて構成される。
【０００４】
このように、ライナ面で接着する理由は、中しんが露出する面で接着しようとすると、段頂部でしか接着できず、十分な接着力が得られないためである。
【０００５】
【特許文献１】特開平９−５８６５５号公報（図１１乃至図１３）
【発明の開示】
【発明が解決しようとする課題】
【０００６】
しかしながら、上記のように、シートをライナ面で接着テープにより接合する際には、接着テープがライナ面に不意に付かないように注意しつつ、シート同士を慎重に位置合わせしなければならず、手間がかかるという問題がある。
【０００７】
そこで、この発明は、片面段ボールのシートを簡単かつ確実に接合して、巻物等を形成できるようにすることを課題とする。
【課題を解決するための手段】
【０００８】
上記課題を解決するため、この発明は、ライナの片面に波状の中しんを貼り合わせた片面段ボールのシートに、主板部と副板部とを段目に交差する方向の折目線を介して設けると共に、主板部の端部に継代片を設け、接合する一方のシートを基準とし、他方のシートの継代片を折り返し、この継代片に一方のシートの端部を重ねて、これらの中しんの段を噛み合わせ、他方のシートの主板部から副板部を折り曲げて、その主板部と副板部との間に、継代片と一方のシートの端部との重合部分を抱き込むことにより、シートの端部同士を繋ぐようにしたのである。
【０００９】
また、前記接合体を巻き込んで、シートの多重に重なり合う部分を、シートと一体又は別体となった片面段ボールの鉤部で外側から抱き込み、鉤部の反発を内側のシートで抑制し、重なり合うシートと鉤部の中しんの段を噛み合わせて、巻物を形成したのである。
【発明の効果】
【００１０】
この発明に係る片面段ボールシートの接合体では、一方のシートを折り返して他方のシートの端部と重ねる際、シート相互の位置を適宜調整でき、これらの中しんの段が噛み合うと、シート同士の段と交差する方向へのずれが防止され、その重合部をシートの折り曲げにより抱き込むので、シート同士を簡単かつ確実に接合できる。
【００１１】
そして、この接合体を巻き込んで、シートと一体又は別体となった鉤部によりシートの重なり合う部分を抱き込むと、巻物等を容易に形成できる。
【発明を実施するための最良の形態】
【００１２】
以下、この発明の実施形態として、写真ホルダとして使用する片面段ボールシートの巻物について、添付図面に基づいて説明する。
【００１３】
図１（ａ）は、この巻物を構成するシート１と留め具２のブランクを示す。シート１と留め具２は、図１（ｂ）に示すように、ライナ３の片面に波状の中しん４を貼り合わせた片面段ボールを材料として形成される。
【００１４】
図１（ａ）に示すように、シート１のブランクでは、主板部５の上下に副板部６が段目に交差する方向の押罫から成る折目線７を介して設けられ、主板部５の両端には、継代片８が段目方向の押罫から成る折目線９を介して設けられている。なお、片面段ボールは、段目に沿って折れ曲がりやすいので、折目線９は省略してもよい。
【００１５】
主板部５には、写真の表面を透視できる暦年の文字を模った貫窓５ａが設けられ、下方の副板部６には、写真の裏面に記載した書き込みを透視できる吹き出し型の貫窓６ａが設けられている。
【００１６】
留め具２は、段目方向に延びる帯材であり、シート１の主板部５の高さよりやや長い幹部１０の両端に鉤部１１を設け、両方の鉤部１１の基端部及び一方の鉤部１１の中間部分に、段目に交差する方向の押罫から成る折目線１２を入れたものとされている。
【００１７】
いま、このようなブランクから成るシート１を２枚接合して、巻物を形成するには、図２に示すように、一方（図中左方）のシート１の主板部５から副板部６を折目線７に沿ってライナ３が重なるように折り曲げ、主板部５と副板部６の間に写真Ｐを挟み、このシート１を基準として、他方（図中右方）のシート１を接合する。
【００１８】
この接合に際しては、他方のシート１の一端の継代片８を、折目線９に沿って１８０°内側へ折り返し、主板部５のライナ３に写真Ｐを置いて、図３（ａ）及び（ｂ）に示すように、この継代片８に、上記一方のシート１の一端の継代片８を重ねる。
【００１９】
このとき、シート１の相互の位置を適宜調整でき、両方のシート１の中しん４の段が噛み合うと、シート１同士の段と交差する方向へのずれが防止される。
【００２０】
次に、他方のシート１の主板部５から副板部６をライナ３が重なるように折り曲げて、その主板部５と副板部６との間に、両方のシート１の継代片８の重合部分を抱き込むと、シート１の端部同士の離反が防止され、２枚のシート１が接合される。
【００２１】
そして、上記シート１の接合体を、図４及び図５に示すように、段目が軸方向となるように二周を超えて巻き込み、シート１が多重に重なり合う部分において、外側のシート１の外周に、留め具２の幹部１０を中しん４が対向するように沿わせて、下方の鉤部１１を折目線１２に沿って折り曲げ、内側と中間のシート１の間に差し込む。
【００２２】
その後、留め具２の上方の鉤部１１を折目線１２に沿って折り曲げ、内側と中間のシート１の間に差し込むと、外側と中間のシート１が上下の鉤部１１で抱き込まれ、鉤部１１の反発は、拡径方向に戻ろうとする内側のシート１で抑制されて、重なり合うシート１及び留め具２の中しん４の段が噛み合い、シート１の接合体の巻込状態が維持される。
【００２３】
このような巻物では、留め具２を一旦取り外して、シート１の接合体の巻きを戻し、上述の要領により、新たな写真を挟んだシート１を追加して接合し、その接合体を巻き込んで、再度留め具２で巻込状態を維持することにより、年輪のように巻き径を拡大しつつ、暦年の写真を、通常のアルバムとは異なった方式で順次保管できる。
【００２４】
なお、上記実施形態では、シート１の主板部５の上下に副板部６を設けたが、副板部６は、シート１の下方にのみ設け、この副板部６を折り曲げて、主板部５と副板部６との間に写真を挟み込むようにしてもよい。
【００２５】
また、シート１とは別体の留め具２により、シート１の接合体の巻込状態を維持することとしたが、図６に示すように、外側となるシート１の一端に、鉤部１１を一体に設けるようにしてもよい。
【００２６】
また、上記のような写真ホルダだけでなく、同様の接合構造及び巻込状態の維持構造を適用して、飲料容器の外周に被せる断熱体を構成することもでき、巻き込んだシートの接合体の内側に底板や蓋板を挿入して、物品を収納する容器を構成することもできる。
【００２７】
さらに、シート１の接合体を巻物としたが、接合体を巻き込むことなく、平面状態のままで、写真フォルダやメモフォルダとして使用することもできる。
【図面の簡単な説明】
【００２８】
【図１】（ａ）この発明に係る片面段ボールシートの巻物の構成部材のブランクを示す図、（ｂ）同上の片面段ボールシートの拡大断面図
【図２】同上のシートの接合過程を示す裏面図
【図３】（ａ）同上の接合状態を示す裏面図、（ｂ）同上の接合部分の拡大断面図
【図４】同上の接合体の巻込過程を示す斜視図
【図５】同上の巻込状態を示す斜視図
【図６】鉤部を一体に設けたシートのブランクを示す図
【符号の説明】
【００２９】
１  シート
２  留め具
３  ライナ
４  中しん
５  主板部
５ａ  貫窓
６  副板部
６ａ  貫窓
７  折目線
８  継代片
９  折目線
１０  幹部
１１  鉤部
１２  折目線
【図１】
2009234658.tif 000003
【図２】
2009234658.tif 000004
【図３】
2009234658.tif 000005
【図４】
2009234658.tif 000006
【図５】
2009234658.tif 000007
【図６】
2009234658.tif 000008